(57)【要約】【課題】給湯水流スイッチは給湯栓１６使用時に流れる流量の圧損を増やす抵抗となり、給湯栓１６使用時の流量を制限してしまうという課題があった。【解決手段】給湯流量を検出する給湯流量センサ４と、供給された水を熱交換する熱交換器３と、前記熱交換器３から浴槽に注湯する注湯電磁弁６と、前記注湯電磁弁６を介して浴槽側に流れる流量を検出する注湯流量センサ５と、前記給湯流量センサ４の信号から給湯流量を求める給湯流量検出手段９と、前記注湯流量センサ５の信号から注湯流量を求める注湯流量検出手段１０と、前記給湯流量検出手段９と注湯流量検出手段１０から給湯栓の使用状態を検出する給湯使用検出手段１１と、前記給湯使用検出手段１１により給湯栓が使用している場合は前記注湯電磁弁６を閉じ給湯栓の使用が終了するまで浴槽への注湯を待機する注湯待機判定手段１８を備えた構成としてある。【選択図】  図１
2004347192.tif 000002
【特許請求の範囲】
【請求項１】
給湯流量を検出する給湯流量センサと、供給された水を熱交換する熱交換器と、前記熱交換器から浴槽に注湯する注湯電磁弁と、前記注湯電磁弁を介して浴槽側に流れる流量を検出する注湯流量センサと、前記給湯流量センサの信号から給湯流量を求める給湯流量検出手段と、前記注湯流量センサの信号から注湯流量を求める注湯流量検出手段と、前記給湯流量検出手段と注湯流量検出手段から給湯栓の使用状態を検出する給湯使用検出手段と、前記給湯使用検出手段により給湯栓が使用している場合は前記注湯電磁弁を閉じ給湯栓の使用が終了するまで浴槽への注湯を待機する注湯待機判定手段を備えた給湯機の制御装置。
【請求項２】
給湯流量検出手段により求めた給湯流量が所定量以内に安定しているか否かを判定する給湯流量安定判定手段を備えた請求項１記載の給湯機の制御装置。
【請求項３】
給湯流量検出手段により求めた給湯流量が所定量以上流れているか否かを判定する給湯流量所定量判定手段を備えた請求項１または２記載の給湯機の制御装置。
【請求項４】
注湯流量検出手段により求めた注湯流量が所定量以内に安定しているか否かを判定する注湯流量安定判定手段を備えた請求項１〜３のいずれか１項記載の給湯機の制御装置。
【請求項５】
注湯流量検出手段により求めた注湯流量が所定量以上流れているか否かを判定する注湯流量所定量判定手段を備えた請求項１〜４のいずれか１項記載の給湯機の制御装置。
【請求項６】
給湯使用検出手段、給湯流量安定判定手段、給湯流量所定量判定手段、注湯流量安定判定手段、注湯流量所定量判定手段の判定流量を不揮発メモリーより読み込み容易に変更することを可能にした不揮発性メモリー読み込み手段を備えた請求項１〜５のいずれか１項記載の給湯機の制御装置。
【発明の詳細な説明】
【０００１】
【発明の属する技術分野】
本発明は家庭用給湯機に関するものである。
【０００２】
【従来の技術】
従来、風呂給湯機では、浴槽に湯を張る際に、給湯栓を使用したか否かの判断は、給湯機の出口側に給湯水流スイッチを設け、給湯水流スイッチのオン判定により検出していた（例えば特許文献１参照）。
【０００３】
また、給湯流量と注湯流量の差から給湯栓を使用したこと検知し、浴槽への注湯は継続している（例えば特許文献２参照）。
【０００４】
【特許文献１】
特開平０７−３５４０８号公報
【特許文献２】
特開平０７−１６７４９１号公報
【０００５】
【発明が解決しようとする課題】
しかしながら上記従来の方法では、給湯水流スイッチは給湯栓使用時に流れる流量の圧損を増やす抵抗となり、給湯栓使用時の流量を制限してしまうという課題があった。
【０００６】
また、給湯栓側と浴槽側双方に湯を使用するため給湯側の流量が減少してしまい給湯側の使い勝手が悪いという課題があった。
【０００７】
本発明は上記課題を解決するもので、給湯水流スイッチをなくし、給湯栓使用時に流れる流量を増やすと共に、浴槽に湯を張る際に、給湯栓を使用したか否かの判断により浴槽への注湯を待機し、給湯側の使い勝手をよくすることを目的とする。
【０００８】
【課題を解決するための手段】
上記課題を解決するため本発明の給湯機の制御装置は、給湯流量を検出する給湯流量センサと、供給された水を熱交換する熱交換器と、前記熱交換器から浴槽に注湯する注湯電磁弁と、前記注湯電磁弁を介して浴槽側に流れる流量を検出する注湯流量センサと、前記給湯流量センサの信号から給湯流量を求める給湯流量検出手段と、前記注湯流量センサの信号から注湯流量を求める注湯流量検出手段と、前記給湯流量検出手段と注湯流量検出手段から給湯栓の使用状態を検出する給湯使用検出手段と、前記給湯使用検出手段により給湯栓が使用している場合は前記注湯電磁弁を閉じ給湯栓の使用が終了するまで浴槽への注湯を待機する注湯待機判定手段を備えた構成としてある。
【０００９】
上記発明によれば、給湯栓使用時に流れる流量を増やすと共に、浴槽に湯を張る際に、給湯栓を使用したか否かの判断により浴槽への注湯を待機し、給湯側の使い勝手をよくすることができる。
【００１０】
【発明の実施の形態】
請求項１記載の発明は、給湯流量を検出する給湯流量センサと、供給された水を熱交換する熱交換器と、前記熱交換器から浴槽に注湯する注湯電磁弁と、前記注湯電磁弁を介して浴槽側に流れる流量を検出する注湯流量センサと、前記給湯流量センサの信号から給湯流量を求める給湯流量検出手段と、前記注湯流量センサの信号から注湯流量を求める注湯流量検出手段と、前記給湯流量検出手段と注湯流量検出手段から給湯栓の使用状態を検出する給湯使用検出手段と、前記給湯使用検出手段により給湯栓が使用している場合は前記注湯電磁弁を閉じ給湯栓の使用が終了するまで浴槽への注湯を待機する注湯待機判定手段を備えたことを特徴とするものである。
【００１１】
また、請求項２記載の発明は、給湯流量検出手段により求めた給湯流量が所定量以内に安定しているか否かを判定する給湯流量安定判定手段を備えたことを特徴とするものである。
【００１２】
また、請求項３記載の発明は、給湯流量検出手段により求めた給湯流量が所定量以上流れているか否かを判定する給湯流量所定量判定手段を備えたことを特徴とするものである。
【００１３】
また、請求項４記載の発明は、注湯流量検出手段により求めた注湯流量が所定量以内に安定しているか否かを判定する注湯流量安定判定手段を備えたことを特徴とするものである。
【００１４】
また、請求項５記載の発明は、注湯流量検出手段により求めた注湯流量が所定量以上流れているか否かを判定する注湯流量所定量判定手段を備えたことを特徴とするものである。
【００１５】
また、請求項６記載の発明は、給湯使用検出手段、給湯流量安定判定手段、給湯流量所定量判定手段、注湯流量安定判定手段、注湯流量所定量判定手段の判定流量を不揮発メモリーより読み込み容易に変更することを可能にした不揮発性メモリー読み込み手段を備えたことを特徴とするものである。
【００１６】
【実施例】
以下、本発明の給湯機の制御装置の実施例について説明する。
【００１７】
（実施例１）
図１、本発明の実施例１としての給湯機の構成図、図２は、本発明の実施例１のフローチャートである。１は熱源機リモコンで、熱源機と通信を行い自動湯張り等の操作指示を行うものである。３は熱交換器で水を湯に換える。
【００１８】
４は給湯流量センサで熱交換器内に流れる流量を検出するものである。６は注湯電磁弁で、熱交換器３からの湯を浴槽７に流す際に開けるものでる。５は注湯流量センサで、注湯電磁弁６を開け浴槽７内に流れる流量を検出するものである。
【００１９】
９は給湯流量検出手段で、給湯流量センサ４からの流量信号より給湯流量を求める手段である。１０は注湯流量検出手段で、注湯流量センサ５からの流量信号より注湯流量を求める手段である。
【００２０】
１１は給湯使用検出手段で、給湯流量検出手段９と注湯流量検出手段１０の流量差により給湯栓１６を使用しているか否かの判断をする。１２は給湯流量所定量判定手段で給湯流量検出手段９が検出する給湯流量が所定量以上か否かを判定する。１３は給湯流量安定判定手段で、給湯流量検出手段９が検出する給湯流量が安定しているか否かを判定する。１４は注湯流量所定量判定手段で注湯流量検出手段１０が検出する注湯流量が所定量以上か否かを判定する。１５は注湯流量安定判定手段で、注湯流量検出手段１０が検出する注湯流量が安定しているか否かを判定する。１８は注湯待機判定手段で、浴槽への注湯中に給湯栓の使用を給湯使用検出手段１１より検出した場合に注湯電磁弁６を閉じて注湯を待機する。
【００２１】
次に、上記構成における給湯機の制御装置の動作について説明する。
【００２２】
まず、第１の手段としては、熱源機リモコン１の自動スイッチ８をオンすると注湯電磁弁６を開け、浴槽７へ湯張りを開始する。この際の給湯流量検出手段９と注湯流量検出手段１０の流量は、ほぼ同じ流量を検出している。次に給湯栓１６を使用した際には、給湯流量検出手段９は注湯流量検出手段１０よりも多くなる、この流量差を給湯栓使用検出手段１１により所定流量以上の差を検出すると、給湯栓が使用していると判断し、注湯待機判定手段１８により注湯電磁弁を閉じ注湯処理を待機することができる。また、給湯水流スイッチを使用することなく給湯栓１６の使用を検出することができ、給湯水流イッチを廃止することができるので、給湯側の流量は圧損を少なくできるので、給湯側の使い勝手をよくすることができる。
【００２３】
第２の手段では、給湯栓１６の使用を検出する際に給湯流量所定流量判定手段１２により、給湯流量検出手段９が検出する流量が所定流量以上流れている場合のみ、給湯栓１６の使用を給湯栓使用検出手段１１により検出することで、給湯栓１６の使用を正確に検出できる。
【００２４】
第３の手段では、給湯栓１６の使用を検出する際に給湯流量安定判定手段１２により、給湯流量検出手段９が検出する流量が安定している場合のみ、給湯栓１６の使用を給湯栓使用検出手段１１により検出することで、給湯栓１６の使用を正確に検出できる。
【００２５】
第４の手段では、給湯栓１６の使用を検出する際に注湯流量所定流量判定手段１４により、注湯流量検出手段１０が検出する流量が所定流量以上流れている場合のみ、給湯栓１６の使用を給湯栓使用検出手段１１により検出することで、給湯栓１６の使用を正確に検出できる。
【００２６】
第５の手段では、給湯栓１６の使用を検出する際に注湯流量安定判定手段１５により、注湯流量検出手段１０が検出する流量が安定している場合のみ、給湯栓１６の使用を給湯栓使用検出手段１１により検出することで、給湯栓１６の使用を正確に検出できる。
【００２７】
第６の手段では、前記給湯使用検出手段１１や給湯流量所定量判定手段１２、給湯流量安定判定手段１３、注湯流量所定量判定手段１４、注湯流量安定判定手段１５のそれぞれの検出する流量を不揮発性メモリーに記憶することで機器毎のバラツキや施工条件等にも柔軟に対応して給湯栓１６の使用を検出することができる。
【００２８】
【発明の効果】
以上の説明から明らかなように、請求項１記載の発明によれば、給湯流量スイッチを使用せずに、給湯栓使用時の検出を行うことで、給湯栓使用時に流れる流量を増やすと共に、浴槽に湯を張る際に、給湯栓を使用したか否かの判断により浴槽への注湯を待機することで、給湯側の使用勝手をよくすることができる。
【００２９】
請求項２記載の発明によれば、給湯流量が所定流量以上の場合のみ給湯栓の使用検出を行うことで正確に給湯栓の使用を判定できる。
【００３０】
請求項３記載の発明によれば、給湯流量が安定している場合のみ給湯栓の使用検出を行うことで正確に給湯栓の使用を判定できる。
【００３１】
請求項４記載の発明によれば、注湯流量が所定流量以上の場合のみ給湯栓の使用検出を行うことで正確に給湯栓の使用を判定できる。
【００３２】
請求項５記載の発明によれば、注湯流量が安定している場合のみ給湯栓の使用検出を行うことで正確に給湯栓の使用を判定できる。
【００３３】
請求項６記載の発明によれば、それぞれの検出する流量を不揮発性メモリーに記憶することで機器毎のバラツキや施工条件等にも柔軟に対応して給湯栓使用を検出することができる。
【図面の簡単な説明】
【図１】本発明の一実施例の給湯機の構成図
【図２】同給湯機の制御装置のフローチャート
【符号の説明】
１  熱源機リモコン
２  熱源機
３  熱交換器
４  給湯流量センサ
５  注湯流量センサ
６  注湯電磁弁
９  給湯流量検出手段
１０  注湯流量検出手段
１１  給湯使用検出手段
１２  給湯流量所定量判定手段
１３  給湯流量安定判定手段
１４  注湯流量所定量判定手段
１５  注湯流量安定判定手段
１７  不揮発性メモリー
１８  注湯待機判定手段
【図１】
2004347192.tif 000003
【図２】
2004347192.tif 000004